(57)【要約】【課題】本発明は、軟便等の漏れを適切に防止することができる、低コストの吸収性物品を提供することを目的とする。【解決手段】トップシートと、バックシートと、吸収体と、を有し、吸収性物品の端部に配置される吸収性補助パッドであって、吸収性補助パッドは、幅方向の一方の側端部にのみ立体ギャザーを有し、立体ギャザーのトップシートからの高さは、吸収性補助パッドの幅方向の寸法に対して、２０％以上であり、トップシートは、一方の幅方向の側端部において、吸収体の一部及びバックシートの一部を巻き込むように、折り返された形状を有し、バックシートは、他方の側端部において、吸収体の一部を巻き込むように折り返された形状を有し、吸収性補助パッドの一方の幅方向の側端部には、羽状のフラップ部を有し、フラップ部の衣類側表面には、吸収性物品との固定手段が形成されている、吸収性補助パッド。【選択図】図１
2018117998.tif 000002
【特許請求の範囲】
【請求項１】
液透過性のトップシートと、液不透過性のバックシートと、前記トップシート及び前記バックシートの間に配置された吸収体と、を有し、吸収性物品の端部に配置される吸収性補助パッドであって、
前記吸収性補助パッドは、前記吸収性補助パッドの幅方向の一方の側端部にのみ、撥水性又は液不透過性を有する二重のシートから構成される立体ギャザーを有し、
前記立体ギャザーの前記トップシートからの高さは、前記吸収性補助パッドの幅方向の寸法に対して、２０％以上であり、
前記トップシートは、立体ギャザーを備えていない幅方向の側端部において、前記吸収体の一部及び前記バックシートの一部を巻き込むように、折り返された形状を有し、
前記バックシートは、前記立体ギャザーを備えている幅方向の側端部であって、前記立体ギャザーより幅方向内側において、前記吸収体の一部を前記トップシートの衣類側の位置で巻き込むように、折り返された形状を有し、
前記吸収体は、長手方向に延びる直線状のスリットを、少なくとも一本備え、
前記バックシートの衣類側表面には、吸収性物品との固定手段が形成されており、
前記吸収性補助パッドの幅方向の側端部のうち、前記立体ギャザーを備えている幅方向側端部には、前記立体ギャザーよりも外側に延在する羽状のフラップ部を有し、
前記フラップ部の衣類側表面には、吸収性物品との固定手段が形成されている、吸収性補助パッド。
【請求項２】
長手方向及び幅方向の寸法が、５０ｍｍ以上３００ｍｍ以下である、請求項１に記載の吸収性補助パッド。
【請求項３】
前記立体ギャザーのトップシートからの高さが、１５ｍｍ以上８０ｍｍ以下である、請求項１又は２に記載の吸収性補助パッド。
【請求項４】
前記立体ギャザーは、自由端側及び基端側に少なくとも一本ずつの伸縮弾性部材を有する、請求項１から３のいずれかに記載の吸収性補助パッド。
【請求項５】
前記フラップ部は、長手方向の寸法が２５ｍｍ以上３００ｍｍ以下、幅方向の寸法が２５ｍｍ以上１５０ｍｍ以下であり、
前記吸収性補助パッドが、１以上のフラップ部を有している、請求項１から４のいずれかに記載の吸収性補助パッド。
【発明の詳細な説明】
【技術分野】
【０００１】
本発明は、軟便等の漏れを適切に防止することができる低コストの吸収性補助パッドに関する。
【背景技術】
【０００２】
一般的に大人用紙おむつには、テープ止めタイプ、パンツタイプ等があり、これらの紙おむつは使用者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ところで、テープ止めタイプやパンツタイプの紙おむつ等の吸収性物品は、それ自体を単独で使用する場合と、その内側に尿取りパッドを併用する場合があるが、現在は、尿取りパッドと併用し、尿取りパッドを、トップシート上に重ねて使用する場合がほとんどである。これは、紙おむつ１枚当たりのコストが高いためで、テープ止めタイプやパンツタイプの紙おむつに比して安価な尿取りパッドで排泄物を吸収して保持した後、尿取りパッドのみを交換することで、排泄後においても、よりコストの高いテープ止めタイプやパンツタイプの紙おむつを交換せずに済み、経済的に低いコストで吸収性物品を使用できるためである。
【０００４】
ここで、尿取りパッドは、尿量に応じて様々なサイズや形状があり、これら様々な種類の尿取りパッドを適切に使い分けることにより、排泄された尿を確実に吸収して漏れを防止することができる。しかしながら、軟便、水様便、下痢便（以下、軟便等等と称する）に対しては、尿取りパッドでは吸収性が不十分であることがあり、軟便等が尿取りパッド及び吸収性物品の外部に漏れることがあったため、軟便等の漏れを防止することを目的とした尿取りパッドについても検討がなされている。
【０００５】
軟便等の漏れを防止することを目的とした尿取りパッドとしては、例えば、特許文献１に、トップシートと、バックシートと、吸収体と、立体ギャザーと、を備えた尿取りパッドにおいて、少なくとも股間部の前端よりも後側の範囲内における、立体ギャザーの突出部位より側方に延在する部分に、衣類側表面から見てカップ状に窪んだカップ部が設けられている尿取りパッドが開示されている。
【先行技術文献】
【特許文献】
【０００６】
【特許文献１】特開２０１４−０４５９８０号公報
【発明の概要】
【発明が解決しようとする課題】
【０００７】
しかしながら、特許文献１に記載の尿取りパッドにおいても、大量の軟便等が排泄された場合には、尿取りパッドの漏れやすい箇所からテープ止めタイプの紙おむつ等の吸収性物品にまで軟便等が漏れ、最悪の場合には、吸収性物品から軟便等が外部に漏れて、衣類や寝具を汚してしまう可能性があった。また、尿取りパッドは、テープ止めタイプの紙おむつ等の吸収性物品に補助的に用いられるものであるが、広範囲において軟便等の漏れを防止しようとするが故に、必然的にサイズが大きくなることから、原材料コストが高くなり、使用者としては、コスト的に十分に満足できるものではないという問題もある。したがって、本発明は以上の点の課題に鑑みてなされたものであり、軟便等の漏れを適切に防止することができる、低コストの吸収性物品を提供することを目的とする。
【課題を解決するための手段】
【０００８】
本発明の発明者らは、上記課題に鑑み、鋭意研究を行った。その結果、幅方向の一方の側端部にのみ、所定の立体ギャザー及びフラップ部を有し、立体ギャザーを備えていない幅方向の側端部において、吸収体の一部及びバックシートの一部を巻き込むように、トップシートを折り返した形状とし、立体ギャザーを備えている幅方向の側端部において、吸収体の一部をトップシートの衣類側の位置で巻き込むように、バックシートを折り返した形状とした、吸収性補助パッドによれば、上記課題を解決できることを見出し、本発明を完成するに至った。具体的には、本発明は以下のものを提供する。
【０００９】
（１）本発明の第１の態様は、液透過性のトップシートと、液不透過性のバックシートと、前記トップシート及び前記バックシートの間に配置された吸収体と、を有し、吸収性物品の端部に配置される吸収性補助パッドであって、前記吸収性補助パッドは、前記吸収性補助パッドの幅方向の一方の側端部にのみ、撥水性又は液不透過性を有する二重のシートから構成される立体ギャザーを有し、前記立体ギャザーの前記トップシートからの高さは、前記吸収性補助パッドの幅方向の寸法に対して、２０％以上であり、前記トップシートは、立体ギャザーを備えていない幅方向の側端部において、前記吸収体の一部及び前記バックシートの一部を巻き込むように、折り返された形状を有し、前記バックシートは、前記立体ギャザーを備えている幅方向の側端部であって、前記立体ギャザーより幅方向内側において、前記吸収体の一部を前記トップシートの衣類側の位置で巻き込むように、折り返された形状を有し、前記吸収体は、長手方向に延びる直線状のスリットを、少なくとも一本備え、前記バックシートの衣類側表面には、吸収性物品との固定手段が形成されており、前記吸収性補助パッドの幅方向の側端部のうち、前記立体ギャザーを備えている幅方向側端部には、前記立体ギャザーよりも外側に延在する羽状のフラップ部を有し、前記フラップ部の衣類側表面には、吸収性物品との固定手段が形成されている、吸収性補助パッドである。
【００１０】
（２）本発明の第２の態様は、（１）に記載の吸収性補助パッドであって、長手方向及び幅方向の寸法が、５０ｍｍ以上３００ｍｍ以下であることを特徴とするものである。
【００１１】
（３）本発明の第３の態様は、（１）又は（２）に記載の吸収性補助パッドであって、前記立体ギャザーのトップシートからの高さが、１５ｍｍ以上８０ｍｍ以下であることを特徴とするものである。
【００１２】
（４）本発明の第４の態様は、（１）から（３）のいずれかに記載の吸収性補助パッドであって、前記立体ギャザーは、自由端側及び基端側に少なくとも一本ずつの伸縮弾性部材を有することを特徴とするものである。
【００１３】
（５）本発明の第５の態様は、（１）から（４）のいずれかに記載の吸収性補助パッドであって、前記フラップ部は、長手方向の寸法が２５ｍｍ以上３００ｍｍ以下、幅方向の寸法が２５ｍｍ以上１５０ｍｍ以下であり、前記吸収性補助パッドが、１以上のフラップ部を有していることを特徴とするものである。
【発明の効果】
【００１４】
本発明の吸収性補助パッドは、吸収性補助パッドの幅方向の一方の側端部にのみ、二重のシートから構成される所定の高さの立体ギャザーを有する。このため、吸収性補助パッドを、テープ止めタイプの紙おむつ等の吸収性物品の端部に、立体ギャザーが吸収性物品の外周方向に向くようにして、配置することにより、吸収性補助パッドの吸収性を維持しつつ、軟便等の漏れを効果的に防止することができる。また、トップシートは、立体ギャザーを備えていない幅方向の側端部において、吸収体の一部及びバックシートの一部を巻き込むように、折り返された形状を有している。このため、吸収性物品のトップシート上から移行してきた軟便等を、吸収性補助パッドの身体側表面だけでなく、立体ギャザーを備えていない側端部からも吸収することができ、より効率的に軟便等を吸収することができる。さらに、バックシートは、立体ギャザーを備えている幅方向の側端部において、吸収体の一部を巻き込むように、折り返された形状を有している。このため、吸収体に移行した軟便等が吸収性補助パッド及び吸収性物品の外側に漏れることを効果的に防止することができる。
【００１５】
加えて、本発明の吸収性補助パッドは、立体ギャザーを備えている幅方向側端部に、立体ギャザーよりも外側に延在する羽状のフラップ部を備えており、このフラップ部の衣類側表面に、吸収性物品との固定手段が形成されているので、吸収性補助パッドを、吸収性物品上の適切な位置に固定できるとともに、着用中にも吸収性補助パッドの位置がずれることがないので、軟便等の漏れを効果的に防止することができる。また、本発明の吸収性補助パッドは、適切な固定手段を有していることにより、吸収性物品の漏れやすい部分に対して局所的に用いることができるため、従来の吸収性補助パッドと比較して、サイズを小さくすることができる。このため、原材料コストを抑えることができ、低コストの吸収性補助パッドを提供することができる。よって、本発明によれば、軟便等の漏れを適切に防止することができ、かつ、低コスト化の吸収性補助パッドを提供することができる。
【図面の簡単な説明】
【００１６】
【図１】本発明の第１の態様の吸収性補助パッドの平面図を示す図面である。
【図２】図１のＸ1−Ｘ1断面図を示す図面である。
【図３】本発明の吸収性補助パッドの使用例を示す図面である。
【図４】本発明の第２の態様の吸収性補助パッドの平面図を示す図面である。
【図５】本発明の第３の態様の吸収性補助パッドの平面図を示す図面である。
【発明を実施するための形態】
【００１７】
以下、添付図面を参照して、本発明を実施するための形態について、詳細に説明する。なお、本発明の実施形態の説明の全体を通して、同じ要素には同じ符号を付している。
【００１８】
本明細書の説明において、吸収性補助パッド１の着用時とは、吸収性補助パッド１を固定した吸収性物品１００の装着時及び装着後の少なくとも一方をいう。吸収性補助パッド１の長手方向とは、後述する立体ギャザー５０に平行な方向であり、図中、符号Ｙで示す方向である。また、吸収性補助パッド１の幅方向とは、長手方向に対して横又は直交する方向であり、図中、符号Ｘで示す方向である。さらに、身体側表面とは、吸収体４０等の各部材の表裏両面のうち、着用時に着用者の肌側に配される面であり、衣類側表面とは、吸収体４０等の各部材の表裏両面のうち、着用時に着用者の肌側とは反対側に向けられる面である。
【００１９】
＜吸収性補助パッド＞
図１は本発明の第１の態様の吸収性補助パッド１の平面図であり、図２は本発明の吸収性補助パッド１の断面図であり、図３は本発明の吸収性補助パッド１の使用例を示す図面である。吸収性補助パッド１は、図１及び図２に示すように、液透過性のトップシート２０と、液不透過性のバックシート３０と、トップシート２０及びバックシート３０の間に配置された吸収体４０と、吸収性補助パッド１の幅方向の一方の側端部にのみ配される、後述する立体ギャザー５０と、を有し、テープ止めタイプの紙おむつ等の吸収性物品１００の端部に配置されるものである。吸収性補助パッド１は、幼児又は成人用を問わず、吸収性物品１００と併用して用いることに適している。図３に示すように、吸収性補助パッド１を、吸収性物品１００の端部に、立体ギャザー５０が吸収性物品１００の外周方向に向くようにして、配置することにより、軟便等の漏れを効果的に防止することができる。
【００２０】
吸収性補助パッド１の形状は、特に限定されないが、吸収性補助パッド１は、吸収性物品１００の端部に配置され、軟便等の漏れを効果的に防止するものであることから、略長方形又は略正方形であることが好ましい。また、吸収性補助パッド１の長手方向及び幅方向の寸法は、５０ｍｍ以上３００ｍｍ以下であることが好ましく、１００ｍｍ以上２５０ｍｍ以下であることがより好ましい。吸収性補助パッド１の長手方向及び幅方向の寸法を上記の範囲にすることにより、吸収性補助パッド１を、固定する吸収性物品１００のタイプや大きさに合わせて適切に使用することが可能となり、必要に応じて低コスト化を図ることもできる。
【００２１】
［トップシート］
トップシート２０は、吸収体４０に向けて体液を速やかに通過させるものであり、吸収体４０を挟んで、バックシート３０と対向して配置されている。トップシート２０は、肌と当接するシートとなることから、柔らかな感触で、肌に刺激を与えないような基材、例えば、エアスルー不織布を代表とするサーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、又はこれらを積層した複合シートといった材料から形成される。トップシート２０は、単層であっても、複数層積層していてもよく、ドライタッチ性を付与するために多数の透孔が形成されていてもよい。
【００２２】
不織布としては、ポリプロピレンやポリエチレン等の合成繊維やレーヨン等の再生繊維、綿等の天然繊維を用いて、サーマルボンド法のほか、スパンレース法やスパンボンド法等の公知の加工法によって得られたものも用いることができる。トップシート２０の坪量は、加工性及び強度の点から、１５ｇ／ｍ２以上２００ｇ／ｍ２以下であることが好ましい。トップシート２０には、肌への刺激を低減させるために、ローション、酸化防止剤、抗炎症成分、ｐＨ調整剤、抗菌剤、保湿剤等を適用してもよい。トップシート２０の形状は、特に限定されないが、吸収性補助パッド１の形状に合わせて、略長方形又は略正方形であることが好ましい。
【００２３】
本発明において、トップシート２０は、立体ギャザー５０を備えていない幅方向の側端部において、吸収体４０の一部及びバックシート３０の一部を巻き込むように、折り返された形状を有している。トップシート２０が、このような折り返し形状を有することにより、吸収性物品１００のトップシート上から移行してきた軟便等を、吸収性補助パッド１の身体側表面だけでなく、立体ギャザー５０を備えていない側端部からも吸収することができ、より効率的に軟便等を吸収することができる。
【００２４】
［バックシート］
バックシート３０は、吸収性補助パッド１の外部に体液が漏れないよう、液不透過性を有し、遮水性を有するシート材が用いられるが、ムレ防止のために透湿性を有していてもよい。このような特性を有するバックシート３０の材料としては、例えば、ポリエチレンシートやポリエチレンラミネート不織布等の厚みの薄いプラスチックシートを挙げることができる。バックシート３０の形状は、特に限定されないが、吸収性補助パッド１の形状に合わせて、略長方形又は略正方形であることが好ましい。
【００２５】
本発明において、バックシート３０は、立体ギャザー５０を備えている幅方向の側端部であって、立体ギャザー５０より幅方向内側の部位において、吸収体４０の一部をトップシート２０の衣類側の位置で巻き込むように、折り返された形状を有している。バックシート３０がこのような折り返し形状を有することにより、吸収体４０に移行した軟便等が吸収性補助パッド１及び吸収性物品１００の外側に漏れることを効果的に防止することができる。
【００２６】
［吸収体］
吸収体４０は、基材としての吸収性繊維と、高吸収性ポリマー（ＳＡＰ）と、を含有することが好ましい。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティッシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体４０の吸収性繊維は、吸収性能及び肌触りを損なわないよう、１００ｇ／ｍ２以上８００ｇ／ｍ２以下の坪量とすることが好ましい。
【００２７】
吸収体４０の高吸収性ポリマーとしては、体液を吸収し、かつ、逆流を防止できるものであれば特に制限はなく、ポリアクリル酸ナトリウム系共重合体、ポリアスパラギン酸塩系共重合体、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系共重合体が好ましい。吸収体４０のＳＡＰ量は、吸収性能及び肌触りを損なわないよう、５０ｇ／ｍ２以上５００ｇ／ｍ２以下の坪量とすることが好ましい。また、吸収速度及び吸収量の観点から、吸収体４０の重量に対する高吸収性ポリマーの重量は、１０質量％以上５０質量％以下であることが好ましい。
【００２８】
吸収体４０において、吸収性繊維及びＳＡＰの形態は、吸収性繊維中にＳＡＰ粒子を混合して形成したもの、あるいは、吸収性繊維間にＳＡＰ粒子を固着したＳＡＰシートとしたものであることが好ましい。また、ＳＡＰ粒子の漏洩防止や吸収体４０の形状の安定化の目的から、吸収体４０をキャリアシートに包むことが好ましい。キャリアシートの基材としては親水性を有するものであればよく、ティッシュ、吸収紙、エアレイド不織布等の親水性不織布を挙げることができる。キャリアシートを複数備える場合は、キャリアシートの基材は同一のものであっても異なるものであってもよい。
【００２９】
（スリット）
本発明おいて、吸収体４０は吸収性補助パッド１の長手方向に延びる直線状のスリット４１を少なくとも一本備える。スリット４１を設けることにより、軟便等の吸収性を向上させることができる。吸収性向上の観点から、スリット４１の長手方向の寸法は、２０ｍｍ以上２７０ｍｍ以下であることが好ましく、７０ｍｍ以上２２０ｍｍであることがより好ましく、スリット４１の幅方向の寸法は、５ｍｍ以上４０ｍｍ以下であることが好ましい。また、同様の観点から、上記スリット４１の深さは、２ｍｍ以上１５ｍｍ以下とすることが好ましい。
【００３０】
［フラップ部］
本発明の吸収性補助パッド１においては、幅方向の側端部のうち、立体ギャザー５０を備えている幅方向の側端部には、立体ギャザー５０よりも外側に延在する羽状のフラップ部６０が、場合によって、立体ギャザー５０を構成する立体ギャザーシートを介して、バックシート３０に固定される形で形成されており、このフラップ部６０の衣類側表面には、吸収性物品１００との固定手段７０が形成されている。このフラップ部６０が形成されていることにより、吸収性補助パッド１を吸収性物品１００の適切な位置に確実に固定することができるので、吸収性補助パッド１の着用時のずれを防止することができ、軟便等の漏れを適切に防止することができる。
【００３１】
ここで、フラップ部６０の基材としては、ポリエチレン、ポリオレフィン、ポリスチレン等からなるサーマルボンド不織布、スパンボンド不織布不織布、フィルムを挙げることができる。これらの基材は単独で使用してもよいが、複数組み合わせたシート材として用いてもよい。フラップ部６０の坪量は、１５ｇ／ｍ２以上１００ｇ／ｍ２以下であることが好ましい。
【００３２】
フラップ部６０の長手方向の寸法は、２５ｍｍ以上３００ｍｍ以下であることが好ましく、４０ｍｍ以上２５０ｍｍ以下であることがより好ましい。また、フラップ部６０の幅方向の寸法は、２５ｍｍ以上１５０ｍｍ以下であることが好ましく、４０ｍｍ以上１２０ｍｍ以下であることがより好ましい。フラップ部６０は、図１に示される本発明の第１の態様のように、長手方向の寸法が、吸収性補助パッド１の長手方向の寸法の半分を下回る寸法となるように設計された略台形の構造体が、吸収性補助パッド１の長手方向略中心線上に、外側が凸となるように形成されたものであってもよく、図４に示される本発明の第２の態様のように、フラップ部６０の長手方向の寸法が、吸収性補助パッド１の長手方向の寸法を下回る寸法となるように設計された略台形の２つの構造体が、並列して、外側が凸となるように形成されたものであってもよい。さらに、フラップ部６０は、図５に示される本発明の第３の態様のように、長手方向の寸法が、吸収性補助パッド１の長手方向の寸法の略全長となるように設計された略台形状の構造体が、外側が凸となるように形成されたものであってもよい。
【００３３】
［固定手段］
吸収性補助パッド１が、バックシート３０の衣類側表面や、フラップ部６０の衣類側表面に有する固定手段７０は、吸収性補助パッド１の着用時に、吸収性補助パッド１を吸収性物品１００に固定するためのものである。固定手段７０の基材としては、特に限定されないが、メカニカルフックテープ、粘着テープ、粘着剤を用いることができる。また、固定手段７０を保護するための剥離シートを有していてもよく、この剥離シートは、吸収性補助パッド１の包装シートと一体となっていてもよい。フラップ部６０に固定手段７０が形成される場合、固定手段７０は、フラップ部６０の幅方向中心線よりも、自由端側に形成されていることが好ましい。
【００３４】
［立体ギャザー］
吸収性補助パッド１は、吸収性補助パッド１の幅方向の一方の側端部にのみ、撥水性又は液不透過性を有する二重のシートから構成される立体ギャザー５０を有する。図３に示すように、吸収性補助パッド１を吸収性物品１００の端部に、立体ギャザー５０が吸収性物品１００の外周方向に向くようにして、配置することにより、吸収性補助パッド１の吸収性を維持しつつ、軟便等の漏れを効果的に防止することができる。
【００３５】
立体ギャザー５０としては、疎水性繊維にて形成された撥水性又は不透液性のシート、例えば、スパンボンド不織布、メルトブロー不織布、ポリエチレンフィルムを用いることができ、本発明においては、選択した一種又は二種のシートを二重に接合したものが使用される。また、立体ギャザー５０の坪量は、加工性及び強度の点から、１５ｇ／ｍ２以上１００ｇ／ｍ２以下であることが好ましい。このように形成された二重のシートから構成される立体ギャザーシートは、図２に示すように、立体ギャザー５０の外側のシートがバックシート３０に固定され、立体ギャザー５０の内側のシートがトップシート２０に固定され、トップシート２０及びバックシート３０に固定されない部分は自由端となるように、吸収性補助パッド１に配置される。
【００３６】
本発明において、立体ギャザー５０のトップシート２０からの高さは、吸収性補助パッド１の幅方向の寸法に対して、２０％以上である。この範囲を満たすことを前提として、立体ギャザー５０のトップシート２０からの高さは、１５ｍｍ以上８０ｍｍ以下であることが好ましい。立体ギャザー５０のトップシート２０からの高さが上記の条件を満たすことで、吸収性補助パッド１からの軟便等の漏れを効果的に防止することができる。
【００３７】
（伸縮弾性部材）
また、立体ギャザー５０は、自由端側及び基端側に少なくとも一本ずつの伸縮弾性部材５１を長手方向に沿って有することが好ましい。伸縮弾性部材５１を長手方向に沿って設けることで、立体ギャザー５０が起立性を有し、着用者の体型に合わせて変形可能なものとなり、フィット性が向上することで、軟便等の漏れを効果的に防止することができるようになる。伸縮弾性部材５１としては、例えば、ポリウレタン糸、帯状のポリウレタンフィルム、糸状又は帯状の天然ゴム等が使用される。
【００３８】
なお、吸収性補助パッド１の長手方向両端部においては、立体ギャザー５０は、その自由端がトップシート２０上に固定されていることが好ましく、このため、立体ギャザー５０の内側側面が、トップシート２０の身体側表面と接合していることが好ましい。これにより、立体ギャザー５０は、長手方向両端部を除く部位のみにおいて起立することとなる。
【００３９】
＜吸収性補助パッドの製造方法＞
吸収性補助パッド１の製造方法としては、特に限定はなく、従来公知の方法を採用することができる。例えば、立体ギャザー５０をあらかじめトップシート２０上に配置し、このトップシート２０とバックシート３０との間に吸収体を挟持する。そして、トップシート２０とバックシート３０とを一部又は全周に亘ってホットメルト接着剤やヒートエンボス、超音波エンボス、高周波エンボス等を用いて固定するとともに、バックシート３０に固定手段７０を形成し、さらに、固定手段７０を形成したフラップ部６０を所定の位置に接合すればよい。
【００４０】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４１】
１        吸収性補助パッド
２０      トップシート
３０      バックシート
４０      吸収体
４１      スリット
５０      立体ギャザー
５１      伸縮弾性部材
６０      フラップ部
７０      固定手段
１００    吸収性物品
【図１】
2018117998.tif 000003
【図２】
2018117998.tif 000004
【図３】
2018117998.tif 000005
【図４】
2018117998.tif 000006
【図５】
2018117998.tif 000007